(57)【特許請求の範囲】
【請求項１】
（ａ）ポリオキシアルキレンアルキルエーテル硫酸エステル塩及びアルキルベンゼンスルホン酸塩からなる群から選ばれる一種以上のアニオン性界面活性剤５〜４０質量％、（ｂ）脂肪酸及び／又はその塩、（ｃ）アルカノールアミン、（ｄ）炭酸塩、（ｅ）ノニオン性界面活性剤、並びに水を含有する液体洗浄剤組成物であって、
ポリオキシアルキレンアルキルエーテル硫酸エステル塩／アルキルベンゼンスルホン酸塩の質量比が７０／３０〜１００／０であり、
ポリオキシアルキレンアルキルエーテル硫酸エステル塩／（ｂ）の質量比が３／１〜２０／１であり、
ポリオキシアルキレンアルキルエーテル硫酸エステル塩／（ｅ）の質量比が６０／４０〜１００／０であり、
（ｄ）をナトリウム塩換算の量で算出したもので０．５質量％以上、５質量％以下含有し、
上記液体洗浄剤組成物のＪＩＳ  Ｋ３３６２：２００８  ８．３記載の２５℃で測定するｐＨが９〜１１である、
液体洗浄剤組成物。
【請求項２】
（ｃ）が、２５℃のｐＫａが８．５〜１０．６の範囲にあるアルカノールアミンである、請求項１記載の液体洗浄剤組成物。
【請求項３】
（ａ）ポリオキシアルキレンアルキルエーテル硫酸エステル塩及びアルキルベンゼンスルホン酸塩からなる群から選ばれる一種以上のアニオン性界面活性剤５〜４０質量％、（ｂ）脂肪酸及び／又はその塩、（ｃ）２５℃のｐＫａが８．５〜１０．６の範囲にあるアルカノールアミン、（ｄ）炭酸塩、（ｅ）ノニオン性界面活性剤、並びに水を含有する液体洗浄剤組成物であって、
ポリオキシアルキレンアルキルエーテル硫酸エステル塩／アルキルベンゼンスルホン酸塩の質量比が７０／３０〜１００／０であり、
ポリオキシアルキレンアルキルエーテル硫酸エステル塩／（ｂ）の質量比が３／１〜２０／１であり、
ポリオキシアルキレンアルキルエーテル硫酸エステル塩／（ｅ）の質量比が６０／４０〜１００／０であり、
上記液体洗浄剤組成物のＪＩＳ  Ｋ３３６２：２００８  ８．３記載の２５℃で測定するｐＨが９〜１１である、
液体洗浄剤組成物。
【請求項４】
（ｂ）が、炭素数１０〜１８の脂肪酸である、請求項１〜３のいずれか記載の液体洗浄剤組成物。
【請求項５】
（ｂ）が、炭素数１２〜１４の脂肪酸及び／又はその塩と、炭素数１６〜１８の脂肪酸及び／又はその塩とを含む、請求項１〜４のいずれか記載の液体洗浄剤組成物。
【請求項６】
請求項１〜５のいずれか記載の、衣料の洗濯において起泡性とすすぎ性の両方に優れた液体洗浄剤組成物。
【請求項７】
（ａ）が、炭素数１０〜２０のアルキル基を有し、アルキレンオキシ基の平均付加モル数が０．５〜５のポリオキシアルキレンアルキルエーテル硫酸エステル塩である、請求項１〜６のいずれか記載の液体洗浄剤組成物。
【請求項８】
（ａ）が、炭素数８〜２０の直鎖アルキル基を有するアルキルベンゼンスルホン酸塩である、請求項１〜７のいずれか記載の液体洗浄剤組成物。
【請求項９】
（ａ）の含有量が７〜２０質量％である、請求項１〜８のいずれか記載の液体洗浄剤組成物。
【請求項１０】
（ｂ）の含有量が０．４〜５質量％である、請求項１〜９のいずれか記載の液体洗浄剤組成物。
【請求項１１】
（ｃ）が、モノアルカノールアミンである、請求項１〜１０のいずれか記載の液体洗浄剤組成物。
【請求項１２】
（ｃ）の含有量が０．１〜１０質量％である、請求項１〜１１のいずれか記載の液体洗浄剤組成物。
【請求項１３】
（ｄ）が、炭酸水素アルカリ金属塩、炭酸アルカリ金属塩及びセスキ炭酸アルカリ金属塩からなる群から選ばれる一種以上の化合物である、請求項１〜１２のいずれか記載の液体洗浄剤組成物。
【請求項１４】
（ｄ）をナトリウム塩換算の量で算出したもので０．５質量％以上、４質量％以下含有する、請求項１〜１３のいずれか記載の液体洗浄剤組成物。
【請求項１５】
（ｅ）が、炭素数１０〜１８のアルコールにエチレンオキサイドを平均で１〜１２モル付加させたポリオキシアルキレンアルキルエーテルである、請求項１〜１４のいずれか記載の液体洗浄剤組成物。
【請求項１６】
（ｅ）の含有量が３質量％以下である、請求項１〜１５のいずれか記載の液体洗浄剤組成物。
【請求項１７】
ポリオキシアルキレンアルキルエーテル硫酸エステル塩／（ｂ）の質量比が５／１以上、９／１以下である、請求項１〜１６のいずれか記載の液体洗浄剤組成物。
【請求項１８】
ポリオキシアルキレンアルキルエーテル硫酸エステル塩／（ｅ）の質量比が８０／２０〜１００／０である、請求項１〜１７のいずれか記載の液体洗浄剤組成物。
【請求項１９】
アミンオキシド及びベタインから選ばれる一種以上の泡ブースターの含有量が、組成物中、５質量％以下である、請求項１〜１８のいずれか記載の液体洗浄剤組成物。
【請求項２０】
上記液体洗浄剤組成物のＪＩＳ  Ｋ３３６２：２００８  ８．３記載の２５℃で測定するｐＨが９．３〜１０．２である、請求項１〜１９のいずれか記載の液体洗浄剤組成物。
【請求項２１】
手洗い洗濯用である、請求項１〜２０のいずれか記載の液体洗浄剤組成物。
【請求項２２】
請求項１〜２１のいずれか記載の液体洗浄剤組成物を含む洗浄水を接触させた被洗浄物を手洗いする手洗い洗濯方法であって、被洗浄物の質量に対する洗浄水の質量が２〜１００倍である、手洗い洗濯方法。
【発明の詳細な説明】
【技術分野】
【０００１】
本発明は、液体洗浄剤組成物、詳しくは手洗い洗濯用として好適な液体洗浄剤組成物に関する。
【背景技術】
【０００２】
衣料等の洗濯方法としては、大きく分けて手洗い洗濯と洗濯機洗濯の２種類がある。近年では、洗濯機の普及により洗濯機による洗濯が増加する傾向にあるが、汚れの落ち具合をしっかり確認できることや経済性の観点などから、世界的にみれば依然、手洗い洗濯が広く行われている。特に、水資源の少ない地域では出来るだけ少ない水で洗濯できるように手洗い洗濯を採用する場合が多い。
【０００３】
手洗い洗濯は、洗濯機による洗濯と比較した場合、汚れの落ち具合、被洗浄物の種類など、状況に応じたきめ細かい洗浄が可能となる一方、洗濯をする者にとって、肉体的、精神的疲労感を伴う。特に、被洗浄物同士をこすり合わせる「もみ洗い」は、被洗浄部位に機械力をかけやすく、最も自然な手洗い方法の１つである。
【０００４】
衣料等の洗濯時に発生する泡の量は、洗濯を行う消費者にとっては、洗濯が充分にされているという充実感、安心感を生じさせる要因となるものであり、経済性及び泡立ち（速泡性）等の観点から、アニオン性界面活性剤、例えばアルキルベンゼンスルホネートが主体の洗剤が多く製造・販売されている。
【０００５】
一方、洗濯用の洗浄剤組成物としては、主として、粒状（固体状）のものと液状のものが知られている。液状の洗浄剤組成物は、使用時に微粉の発生がない、洗濯水に速やかに溶解、分散するといった利点がある。
【０００６】
特許文献１には、特定のアニオン性界面活性剤及び特定のノニオン性界面活性剤混合物を包含する界面活性剤系と、洗浄性ビルダーと、補助洗剤成分とを含有する、手洗い操作で使用するための、液体の形態をとり得る洗濯洗剤組成物が開示されている。また、特許文献２には、アニオン性界面活性剤、ノニオン性界面活性剤及びカチオン性界面活性剤を特定条件で含む、液体の形態をとり得る手洗い洗濯洗剤組成物が開示されている。また、特許文献３には、特定の界面活性剤、高級脂肪酸塩、ベンゼン又は低級アルキルベンゼンのスルホン酸塩、無機質ビルダー、及び多価カルボン酸アルカリ塩を含有する水性液体洗剤組成物が開示されている。また、特許文献４には、アルキレンオキシ基の平均付加モル数が比較的多いポリオキシアルキレンアルキルエーテル型ノニオン性界面活性剤、特定のアニオン性界面活性剤、及び炭素数８〜１８の脂肪酸又はその塩を特定条件で含有する洗浄剤組成物が、洗浄時の洗浄力、及び泡立ち性が優れ、しかもすすぎ工程においてすばやく泡が消え、すすぎが速やかに完了する洗浄剤組成物であることが開示されている。
【先行技術文献】
【特許文献】
【０００７】
【特許文献１】特表平１０−５０４０４９号公報
【特許文献２】特表平１０−５０４０５６号公報
【特許文献３】特開昭５２−８２９０９号公報
【特許文献４】特開２０１１−８９１０７号公報
【発明の概要】
【発明が解決しようとする課題】
【０００８】
洗濯用の洗浄剤組成物においては、優れた洗浄力を有することに加え、洗浄時に適度な泡立ちを示す起泡性と、すすぎ時には泡が速やかに消える等のすすぎ性に優れることが望まれる。とりわけ、高硬度の洗濯水を用いる場合でも、優れた洗浄力、起泡性、すすぎ性が得られることがより望しい。特許文献１、２は起泡性が良く低刺激性であるとされているが、すすぎ時の速やかな泡消えを未だ十分に達成できていない。特許文献３は、洗浄性と安定性に優れるとされているが、手洗い洗濯における適度な泡立ちと速やかな泡消えの両立を達成できない。また、特許文献４には、脂肪酸又はその塩の配合量を低減して配合の自由度をより向上させつつ起泡性やすすぎ性を向上できる組成についての示唆はない。
【０００９】
本発明の課題は、衣料等の洗濯において、より優れた洗浄力を有し、起泡性とすすぎ性の両方により優れた洗濯用の液体洗浄剤組成物を提供することである。
【課題を解決するための手段】
【００１０】
本発明は、（ａ）ポリオキシアルキレンアルキルエーテル硫酸エステル塩及びアルキルベンゼンスルホン酸塩からなる群から選ばれる一種以上のアニオン性界面活性剤５〜４０質量％、（ｂ）脂肪酸及び／又はその塩、（ｃ）アルカノールアミン、（ｄ）炭酸塩、（ｅ）ノニオン性界面活性剤、並びに水を含有する液体洗浄剤組成物であって、
ポリオキシアルキレンアルキルエーテル硫酸エステル塩／アルキルベンゼンスルホン酸塩の質量比が７０／３０〜１００／０であり、
ポリオキシアルキレンアルキルエーテル硫酸エステル塩／（ｂ）の質量比が３／１〜２０／１であり、
ポリオキシアルキレンアルキルエーテル硫酸エステル塩／（ｅ）の質量比が６０／４０〜１００／０であり、
上記液体洗浄剤組成物のＪＩＳ  Ｋ３３６２：２００８  ８．３記載の２５℃で測定するｐＨが９〜１１である、
液体洗浄剤組成物に関する。
【００１１】
以下、（ａ）ポリオキシアルキレンアルキルエーテル硫酸エステル塩及びアルキルベンゼンスルホン酸塩からなる群から選ばれる一種以上のアニオン性界面活性剤を（ａ）成分という。また、（ｂ）脂肪酸及び／又はその塩を（ｂ）成分という。また、（ｃ）アルカノールアミンを（ｃ）成分という。また、（ｄ）炭酸塩を（ｄ）成分という。また、（ｅ）ノニオン性界面活性剤を（ｅ）成分という。なお、本発明において、（ａ）成分、（ｂ）成分及び（ｄ）成分の量は、それぞれ、全てナトリウム塩換算の量で質量％や質量比を算出するものとする。
【００１２】
また、本発明は、上記本発明の液体洗浄剤組成物を含む洗浄水を接触させた被洗浄物を手洗いする手洗い洗濯方法であって、被洗浄物の質量に対する洗浄水の質量が２〜１００倍である、手洗い洗濯方法に関する。
【発明の効果】
【００１３】
本発明によれば、衣料等の洗濯において、優れた洗浄力を有し、起泡性とすすぎ性の両方に優れた液体洗浄剤組成物が提供される。このような本発明の効果は、高硬度の洗濯水で洗浄、すすぎを行う場合でも得られる。また、本発明の液体洗浄剤組成物は、低温保存安定性など、組成物の安定性が良好である。
【発明を実施するための形態】
【００１４】
［第１実施態様］
＜（ａ）成分＞
（ａ）成分は、ポリオキシアルキレンアルキルエーテル硫酸エステル塩及びアルキルベンゼンスルホン酸塩からなる群から選ばれる一種以上のアニオン性界面活性剤である。
【００１５】
ポリオキシアルキレンアルキルエーテル硫酸エステル塩としては、限定されるものではないが、例えば、炭素数１０以上、更に１２以上、また、２０以下、更に１４以下のアルキル基、好ましくは直鎖１級アルコール若しくは直鎖２級アルコール由来のアルキル基又は分岐アルコール由来のアルキル基を有し、アルキレンオキシ基の平均付加モル数が０以上、更に０より大きい、更に０．５以上、更に１以上、また、５以下、更に４以下、更に３以下のものが挙げられる。具体的には、例えば、炭素数１０〜２０、好ましくは１２〜１４のアルキル基、好ましくは直鎖１級アルコール若しくは直鎖２級アルコール由来のアルキル基又は分岐アルコール由来のアルキル基を有し、アルキレンオキシ基の平均付加モル数が０〜５、好ましくは０．５〜４、更に好ましくは１〜３のものが挙げられる。アルキレンオキシ基としてエチレンオキシ基を含むことが好ましく、平均付加モル数０．２〜２モルの範囲でプロピレンオキシ基を含んでいてもよい。塩はアルカリ金属塩が好ましく、ナトリウム塩及びカリウム塩から選ばれる塩がより好ましく、ナトリウム塩が更に好ましい。
【００１６】
アルキルベンゼンスルホン酸塩としては、限定されるものではないが、例えば炭素数８以上、更に１０以上、また、炭素数２０以下、更に１５以下の、好ましくは直鎖アルキル基を有するアルキルベンゼンスルホン酸塩が挙げられる。すなわち、アルキルベンゼンスルホン酸塩としては、例えば炭素数８〜２０、好ましくは１０〜１５の、好ましくは直鎖アルキル基を有するアルキルベンゼンスルホン酸塩が挙げられる。
【００１７】
アルキルベンゼンスルホン酸塩は、ナトリウム、カリウムなどのアルカリ金属塩、アルカノールアミン塩、又はマグネシウム、カルシウムなどのアルカリ土類金属塩などを挙げることができるが、洗浄性や組成物の保存安定性の観点から、アルカリ金属塩又はアルカノールアミン塩であることが好ましい。本発明の組成物を調製する場合、酸型の化合物であるアルキルベンゼンスルホン酸を組成物となる原料中に添加し、系内でアルカリと中和反応させアルキルベンゼンスルホン酸塩としてもよいし、予め中和した後、組成物となる原料中に添加してもよい。アルキルベンゼンスルホン酸の中和には、水酸化ナトリウム、水酸化カリウム、水酸化リチウム、水酸化アンモニウムなどの強塩基や後述する（ｃ）成分を用いることができる。
【００１８】
＜（ｂ）成分＞
（ｂ）成分の脂肪酸及び／又はその塩としては、限定されるものではないが、例えば炭素数７以上、更に９以上、更に１０以上、また、炭素数４３以下、更に２３以下、更に１８以下の直鎖又は分岐鎖のアルキル基を有するもの、より好ましくは直鎖又はメチル分岐鎖を有する炭素数１２〜１４の脂肪酸及びその塩が挙げられる。すなわち、具体的には、（ｂ）成分の脂肪酸及び／又はその塩としては、炭素数７〜４３、好ましくは９〜２３、より好ましくは１０〜１８の直鎖又は分岐鎖のアルキル基を有するもの、より好ましくは直鎖又はメチル分岐鎖を有する炭素数１２〜１４の脂肪酸及び／又はその塩が挙げられる。（ｂ）成分は、不飽和結合を有しても構わないが、その数は２以下、好ましくは１以下、より好ましくは０であることがすすぎ性の観点からより望ましい。従って、（ｂ）成分は、飽和脂肪酸及び／又はその塩が好ましい。（ｂ）成分としては、具体的には、ラウリン酸及び／又はその塩、ミリスチン酸及び／又はその塩、ラウリン酸、ミリスチン酸を多く含むココヤシ由来の脂肪酸の混合物及び／又はその塩などが挙げられ、洗浄力、起泡性、すすぎ性の観点から、ラウリン酸及びその塩、並びにミリスチン酸及びその塩から選ばれる一種以上の化合物を含むことが好ましく、更にミリスチン酸及びその塩から選ばれる一種以上の化合物を含むことがより好ましい。（ｂ）成分は、炭素数１２〜１４の脂肪酸及び／又はその塩と、炭素数１６〜１８の脂肪酸及び／又はその塩とを含むことができる。
【００１９】
（ｂ）成分の脂肪酸塩は、ナトリウム、カリウムなどのアルカリ金属塩又はアルカノールアミン塩であることが、すすぎ性の観点から好ましい。本発明の組成物を調製する場合、酸型の化合物である脂肪酸を組成物中に添加し、系内でアルカリと中和反応させてもよいし、予め中和した後、組成物中に添加してもよい。脂肪酸の中和には、水酸化ナトリウム、水酸化カリウム、水酸化リチウム、水酸化アンモニウムなどの強塩基や後述する（ｃ）成分を用いることができる。
【００２０】
＜（ｃ）成分＞
（ｃ）成分はアルカノールアミン、中でも炭素数２〜４のアルカノール基を１つから３つ有するアルカノールアミンを挙げることができる。このうちアルカノール基はヒドロキシエチル基であるものが好ましい。アルカノール基以外は水素原子であるが、炭素数１〜５のアルキル基、更にメチル基であっても（ｃ）成分として使用することができる。（ｃ）成分は洗浄性、濯ぎ性の観点から２５℃のｐＫａが８．５以上、更に８．７以上、更に９以上、また、１０．６以下、更に１０以下、更に９．６以下である、具体的には、ｐＫａが好ましくは８．５〜１０．６、より好ましくは８．７〜１０、更に好ましくは９〜９．６である。アルカノールアミンとしては、モノエタノールアミン（ｐＫａ＝９．５２）、Ｎ−メチルエタノールアミン、Ｎ，Ｎ−ジメチルエタノールアミン、Ｎ，Ｎ−ジエチルエタノールアミン、モノイソプロパノールアミン等のモノアルカノールアミン、ジエタノールアミン（ｐＫａ＝８．９０）、Ｎ−メチルジエタノールアミン、Ｎ−ブチルジエタノールアミン等のジアルカノールアミン、及びこれらの混合物（モノアルカノールアミン、ジアルカノールアミンの混合物）等のアルカノールアミン類が挙げられる。本発明ではモノアルカノールアミン及びジアルカノールアミンから選ばれる一種以上のアルカノールアミンが好ましく、モノエタノールアミン及びジエタノールアミンから選ばれる一種以上のアルカノールアミンがより好ましく、洗浄性の観点からモノエタノールアミンが更に好ましい。
【００２１】
＜（ｄ）成分＞
（ｄ）成分は、炭酸塩である。具体的には、炭酸水素アルカリ金属塩、炭酸アルカリ金属塩及びセスキ炭酸アルカリ金属塩からなる群から選ばれる一種以上の化合物を挙げることができる。（ｄ）成分としては、（ａ）成分のポリオキシアルキレンアルキルエーテル硫酸エステル塩の安定性の観点から、ナトリウム塩等のアルカリ金属塩が望ましく、更に系の塩強度を抑制する点から炭酸水素ナトリウム塩が好ましい。
【００２２】
本発明の液体洗浄剤組成物では、（ｃ）成分を（ｄ）成分と併用することにより、洗浄性や保存安定性を向上できる。
【００２３】
（ｃ）成分や（ｄ）成分は前述した（ａ）成分や（ｂ）成分の中和にも用いても良い。洗浄性、及び手肌への低刺激性の観点から、本発明の液体洗浄剤組成物のｐＨ緩衝能がｐＨ９〜１１、好ましくは９〜１０．５、より好ましくは９．５〜１０の範囲で良好に発現することが望ましく、そのためには（ｃ）成分や（ｄ）成分のうち例えば２５℃のｐＫａを８．５〜１０．６の範囲に持つ化合物を組み合わせることが望ましい。
【００２４】
＜（ｅ）成分＞
ノニオン性界面活性剤としては、特に限定されるものではないが、例えば、炭素数１０以上、１８以下のアルコールにエチレンオキサイドを平均で１モル以上、更に２モル以上、１２モル以下、更に４モル以下付加させたポリオキシアルキレンアルキルエーテルが挙げられる。すなわち、ノニオン性界面活性剤としては、炭素数１０〜１８のアルコールにエチレンオキサイドを平均で１〜１２モル、例えば２〜４モル付加させたポリオキシアルキレンアルキルエーテルが挙げられる。
【００２５】
（ｅ）成分を含有する場合、炭素数１０以上、１８以下のアルコールにエチレンオキサイドを平均で１モル以上、１２モル以下付加させたポリオキシアルキレンアルキルエーテルの含有量は、組成物中、０．３質量％以上、更に０．５質量％以上、更に１質量％以上が好ましく、また、５質量％以下、更に３質量％以下、更に２．５質量％以下、更に２質量％以下が好ましい。
【００２６】
また、（ｅ）成分として、炭素数１０以上、１８以下のアルコールにエチレンオキサイドを平均で１４モル以上、３０モル以下付加させたポリオキシアルキレンアルキルエーテルを含有していても良い。炭素数１０以上、１８以下のアルコールにエチレンオキサイドを平均で１４モル以上、３０モル以下付加させたポリオキシアルキレンアルキルエーテルを含有する場合、その含有量は、組成物中、０．２質量％以上、更に０．４質量％以上、更に０．７質量％以上が好ましく、また、２．５質量％以下、更に２質量％以下、更に１．５質量％以下が好ましい。
【００２７】
＜液体洗浄剤組成物＞
本発明の液体洗浄剤組成物は、ポリオキシアルキレンアルキルエーテル硫酸エステル塩／アルキルベンゼンスルホン酸塩の質量比が７０／３０以上、１００／０以下であり、更に７５／２５以上、更に８０／２０以上、更に９０／１０以上、更に９５／５以上であることが好ましい。
【００２８】
本発明の液体洗浄剤組成物は、ポリオキシアルキレンアルキルエーテル硫酸エステル塩／アルキルベンゼンスルホン酸塩の質量比が７０／３０〜１００／０であり、好ましくは７５／２５〜１００／０、より好ましくは８０／２０〜１００／０であり、更に９０／１０〜１００／０、更に９５／５〜１００／０、更に１００／０、即ち、（ａ）成分がポリオキシアルキレンアルキルエーテル硫酸エステル塩のみからなり、アルキルベンゼンスルホン酸塩を含有しなくてもよい。この質量比の範囲内であれば、優れた洗浄性及びすすぎ性が得られる。
【００２９】
加えて、本発明の液体洗浄剤組成物では、洗浄時の適度な泡立ち性、洗浄性及び低温安定性維持の観点から、ポリオキシアルキレンアルキルエーテル硫酸エステル塩／（ｂ）成分の質量比が３／１以上であり、好ましくは４／１以上、より好ましくは５／１以上、より好ましくは６／１以上、より好ましくは７／１以上である。また、本発明の液体洗浄剤組成物では、すすぎ時の速やかな泡消え性の観点から、ポリオキシアルキレンアルキルエーテル硫酸エステル塩／（ｂ）成分の質量比が２０／１以下であり、好ましくは１６／１以下、より好ましくは１３／１以下、より好ましくは１１／１以下、より好ましくは９／１以下である。
【００３０】
本発明の液体洗浄剤組成物では、洗浄時の適度な泡立ち性、すすぎ時の速やかな泡消え性及び洗浄性の３つを同時に満たす観点から、ポリオキシアルキレンアルキルエーテル硫酸エステル塩／（ｂ）成分の質量比が３／１〜２０／１であり、好ましくは４／１〜１６／１、より好ましくは５／１〜１３／１、より好ましくは６／１〜１１／１、より好ましくは７／１〜９／１である。
【００３１】
ここで、ポリオキシアルキレンアルキルエーテル硫酸エステル塩／アルキルベンゼンスルホン酸塩の質量比が７０／３０以上、１００／０以下であり、且つ、ポリオキシアルキレンアルキルエーテル硫酸エステル塩／（ｂ）成分の質量比が３／１以上であると、すすぎ時の速やかな泡消え性を達成できる。その理由は必ずしも明らかではないが、本発明者等は、以下に示すような事象に基づくものと考えている。即ち、泡立ち性に対する粒子の影響は大きい。なかでも、サブミクロンから数ミクロン程度の疎水性粒子は抑泡に大きく作用する。本発明の液体洗浄剤組成物においては、組成物中の（ｂ）成分である脂肪酸と洗濯の際水道水中に含有するカルシウム等の硬度成分との結合によって析出する脂肪酸の金属塩が、すすぎ時の速やかな泡消え性に影響するものと考えられる。アルキルベンゼンスルホン酸塩の割合が多くなるようなアニオン性界面活性剤系では、析出する脂肪酸の金属塩の粒子サイズは数十〜数百ナノメートル程度である一方で、アルキルベンゼンスルホン酸塩の割合が少なくなるようなアニオン性界面活性剤系では、条件によって数ミクロン程度の析出物に粗大化しやすいことが分かっている。手洗い洗濯中には衣料から持ち込まれる油等、様々な因子があるものの、同様の現象が起こっているのではないかと推測される。その結果、前記質量比が３／１以上という少量の脂肪酸であっても、すすぎ時の速やかな泡消え性を達成できたのではないかと考えられる。
【００３２】
本発明の液体洗浄剤組成物は、（ａ）成分をナトリウム塩換算の量で算出したもので５質量％以上含有し、更に６質量％以上、より更に７質量％以上、より更に８質量％以上、より更に９質量％以上、より更に１０．５質量％以上含有することが好ましく、また、４０質量％以下含有し、更に３０質量％以下、より更に２０質量％以下、より更に１６質量％以下、より更に１４質量％以下含有することが好ましい。
【００３３】
本発明の液体洗浄剤組成物は、（ａ）成分をナトリウム塩換算の量で算出したもので５〜４０質量％含有し、更に６〜３０質量％、より更に７〜２０質量％、より更に８〜１６質量％、より更に９〜１４質量％、より更に１０．５〜１４質量％含有することが好ましい。
【００３４】
本発明の液体洗浄剤組成物は、（ｂ）成分をナトリウム塩換算の量で算出したもので０．１質量％以上含有し、更に０．２質量％以上、より更に０．４質量％以上、より更に０．５質量％以上、より更に０．６質量％以上、より更に０．７質量％以上、より更に０．８質量％以上、より更に１質量％以上含有することが好ましく、また、泡立ち性の観点から、１０質量％以下、更に５質量％以下、より更に４質量％以下、より更に３質量％以下、より更に２質量％以下、より更に１．５質量％以下含有することが好ましい。
【００３５】
本発明の液体洗浄剤組成物は、（ｂ）成分をナトリウム塩換算の量で算出したもので０．１〜１０質量％、更に０．２〜１０質量％、より更に０．４〜５質量％、より更に０．５〜４質量％、より更に０．６〜３質量％、より更に０．７〜２質量％、より更に０．８〜１．５質量％含有することが好ましい。
【００３６】
本発明の液体洗浄剤組成物は、（ｃ）成分を０．１質量％以上、更に０．２質量％以上、洗浄性能、すすぎ性の観点から１質量％以上含有することが好ましく、また、１０質量％以下、更に６質量％以下、アミン臭のマスキング効果の観点から更に４質量％以下、マスキング効果の観点から３質量％以下含有することが好ましい。
【００３７】
本発明の液体洗浄剤組成物は、（ｃ）成分を０．１〜１０質量％、更に０．２〜６質量％、更にアミン臭のマスキング効果の観点から０．２〜４質量％、より更に洗浄性能、マスキング効果の観点から１〜３質量％含有することが好ましい。
【００３８】
本発明の液体洗浄剤組成物は、（ｄ）成分をナトリウム塩換算の量で算出したもので０．５質量％以上、更に１質量％以上、より更に１．５質量％以上、より更に１．７質量％以上、より更に２質量％以上、より更に２．５質量％以上、より更に３質量％以上含有することが好ましく、また、１０質量％以下、更に８質量％以下、より更に６質量％以下、より更に５質量％以下、より更に４質量％以下含有することが好ましい。
【００３９】
本発明の液体洗浄剤組成物は、（ｄ）成分をナトリウム塩換算の量で算出したもので０．５〜１０質量％、更に１〜８質量％、より更に１．５〜６質量％、より更に１．７〜５質量％、より更に２〜４質量％含有することが好ましい。
【００４０】
各成分の含有量は、前記質量比を満たす範囲で選択される。
【００４１】
本発明の液体洗浄剤組成物は、適度な泡立ち性とすすぎ時の速やかな泡消え性の観点から、（ａ）成分と（ｂ）成分とを合計で６質量％以上、更に８質量％以上、より更に１０質量％以上、より更に１２質量％以上含有することが好ましく、また、３０質量％以下、２５質量％以下、より更に２０質量％以下、より更に１６質量％以下含有することが好ましい。この含有量が６質量％以上であればより良好な洗浄性及び泡立ち性を有する組成物が得られる一方、３０質量％以下であればより良好な粘度を有し、洗濯液により速やかに溶解、分散でき、又はより透明な液感を有する組成物が得られる。
【００４２】
本発明の液体洗浄剤組成物は、適度な泡立ち性とすすぎ時の速やかな泡消え性の観点から、（ａ）成分と（ｂ）成分とを合計で６〜３０質量％、更に８〜２５質量％、より更に１０〜２０質量％、より更に１２〜１６質量％含有することが好ましい。この含有量が６質量％以上であればより良好な洗浄性及び泡立ち性を有する組成物が得られる一方、３０質量％以下であればより良好な粘度を有し、洗濯液により速やかに溶解、分散でき、又はより透明な液感を有する組成物が得られる。
【００４３】
本発明の液体洗浄剤組成物では、すすぎ時の速やかな泡消え性の観点から、（ｅ）成分であるノニオン性界面活性剤、中でも炭素数１０以上、１８以下のアルコールにエチレンオキサイドを平均で１モル以上、１２モル以下付加させたポリオキシアルキレンアルキルエーテルの含有量が制限され、ポリオキシアルキレンアルキルエーテル硫酸エステル塩と（ｅ）成分の合計量に対する（ｅ）成分の割合が４０質量％以下、更に３５質量％以下、更に３０質量％以下、更に２５質量％以下、更に２０質量％以下、更に１５質量％以下、更に１０質量％以下、更に５質量％以下であり、（ｅ）成分を含有しなくてもよい。また、本発明の液体洗浄剤組成物は、すすぎ時の速やかな泡消え性の観点から、ポリオキシアルキレンアルキルエーテル硫酸エステル塩／（ｅ）成分の質量比が６０／４０〜１００／０であり、６５／３５〜１００／０が好ましく、７０／３０〜１００／０が好ましく、８０／２０〜１００／０が好ましく、８５／１５〜１００／０が好ましく、９０／１０〜１００／０が好ましく、９５／５〜１００／０がより好ましい。また、組成物中の（ｅ）成分の含有量は３質量％以下であることが好ましく、２．５質量％以下、更に２質量％以下、より更に１．５質量％以下、より更に１質量％以下、より更に０．５質量％以下、より更には０質量％、即ち、全く配合しないこと、すなわち、本発明の液体洗浄剤組成物が（ｅ）成分を含有しなくても良い。
【００４４】
本発明の液体洗浄剤組成物において、水の含有量は、組成物全体で１００質量％となる量であって、組成物中、３０質量％以上、更に４０質量％以上、より更に５０質量％以上が好ましく、また、９０質量％以下、更に８５質量％以下、より更に８０質量％以下が好ましい。
【００４５】
本発明の液体洗浄剤組成物において、水の含有量は、組成物全体で１００質量％となる量であって、組成物中、３０〜９０質量％、更に４０〜８５質量％、より更に５０〜８０質量％が好ましい。
【００４６】
また、本発明の液体洗浄剤組成物は、（ｆ）成分として、（ａ）成分、（ｂ）成分及び上記（ｅ）成分以外の界面活性剤を本発明の効果を損なわない範囲で含有することができる。本発明では、（ｆ）成分の割合が、全界面活性剤中の２０質量％以下、更に１０質量％以下、より更には５質量％以下であることが好ましい。
【００４７】
（ｆ）成分としては、限定されるものでないが、アミンオキシド、又はベタインなどが挙げられる。これらは、例えば、「泡のエンジニアリング」（株式会社テクノシステム発行、２００５年）に記載されているように、泡ブースターとしての機能を持つため、本発明の洗浄剤組成物の起泡力を高めることができる。（ｆ）成分のうち、アミンオキシド及びベタインから選ばれる泡ブースター、中でもアミンオキシドから選ばれる泡ブースターは、すすぎ性を損なわないために、組成物中の５質量％以下、更には３質量％以下、更には１．５質量％以下、更には０．５質量％以下が好ましい。
【００４８】
アミンオキシドとしては、炭素数８以上、更に１２以上、また、炭素数１８以下、更に１４以下の長鎖長のアルキル基と炭素数１〜３のアルキル基、好ましくはメチル基とを有する、モノ長鎖アルキルアミンオキシドなどを挙げることができる。よって、アミンオキシドとしては、炭素数８〜１８、好ましくは１２〜１４の長鎖長のアルキル基と炭素数１〜３のアルキル基、好ましくはメチル基とを有する、モノ長鎖アルキルアミンオキシドなどを挙げることができる。ベタインとしては、アルキルアミドプロピルベタインを挙げることができる。中でも、炭素数が１２のラウラミドプロピルベタインやヤシ油組成のココアミドプロピルベタインが一般的である。この内、上記ベタインから選ばれる泡ブースターの組成物中の含有量は、１．５質量％以下、更に１質量％以下、更に０．５質量％以下、更に０．３質量％以下が好ましい。
【００４９】
また、本発明の液体洗浄剤組成物では、全界面活性剤中、（ａ）成分の割合が５０質量％以上、更に６０質量％以上、より更に７０質量％以上、より更に８０質量％以上であることが、または、９５質量％以下、更に９３質量％以下、より更に９０質量％以下であることが、泡立ち・洗浄性能の観点から好ましい。更に、本発明の液体洗浄剤組成物は、全界面活性剤中、ポリオキシアルキレンアルキルエーテル硫酸エステル塩の割合が４０質量％以上、更に５０質量％以上、より更に７０質量％以上、また、９５質量％以下、更に９３質量％以下、より更に９０質量％以下であることが、洗浄性能の観点から好ましい。
【００５０】
また、本発明の液体洗浄剤組成物では、全界面活性剤中、（ａ）成分の割合が５０〜９５質量％、更に６０〜９３質量％、より更に７０〜９０質量％であることが、泡立ち・洗浄性能の観点から好ましい。更に、本発明の液体洗浄剤組成物は、全界面活性剤中、ポリオキシアルキレンアルキルエーテル硫酸エステル塩の割合が４０〜９５質量％、更に５０〜９３質量％、より更に７０〜９０質量％であることが、洗浄性能の観点から好ましい。
【００５１】
本発明の液体洗浄剤組成物は、洗浄性、特に塗布洗浄性と手肌への低刺激性の観点から、ＪＩＳ  Ｋ３３６２：２００８  ８．３記載の２５℃で測定するｐＨが９以上、好ましくは９．３以上、より好ましくは９．５以上である。一方、１１以下、好ましくは１０．５以下、より好ましくは１０．２以下、更により好ましくは１０以下である。即ち、前記ｐＨが９〜１１、好ましくは９〜１０．５、より好ましくは９．３〜１０．２、更により好ましくは９．５〜１０である。ｐＨは、組成物中に配合される成分の種類や配合量、なかでも、アルキルベンゼンスルホン酸塩の酸型化合物、（ｂ）成分、（ｃ）成分、（ｄ）成分の種類や配合量により調整でき、必要に応じて塩酸（例えば６Ｎ−ＨＣｌ）、クエン酸、パラトルエンスルホン酸（ＰＴＳ）、パラクメンスルホン酸（ＰＣＳ）等の酸剤を用いて調整してもよい。
【００５２】
本発明の液体洗浄剤組成物は、すばやい泡切れと洗浄性能の観点、手肌への優しさから、液体洗浄剤組成物をアルカリ度＝６５ＣａＣＯ3ｍｇ／ｌ、ｐＨ７．１５の水で２００
倍希釈した水希釈物のＪＩＳ  Ｋ３３６２：２００８  ８．３記載の２５℃で測定するｐＨが、好ましくは８．５以上、より好ましくは８．７以上、更に好ましくは８．９以上、更により好ましくは９以上であり、また、好ましくは１０．５以下、より好ましくは１０．１以下、更に好ましくは９．７以下、更により好ましくは９．５以下である。即ち、前記ｐＨは、好ましくは８．５〜１０．５、より好ましくは８．７〜１０．１、更に好ましくは８．９〜９．７、更により好ましくは９〜９．５である。本発明の（ｃ）成分、（ｄ）成分はこのような性質を付与するのに適切なｐＫａを有するアルカリ剤であり、これらを組み合わせて配合することにより、このような性質を組成物に付与することができる。
【００５３】
以下に、前記水希釈物の調製に用いる水のアルカリ度の測定方法を示す（以下、特記しない限り本発明のアルカリ度はこの方法で測定されたものをいう）。
検水１００ｍｌを２００ｍｌビーカーにとり、指示薬としてブロモクレゾールグリーン−メチルレッド・エタノール溶液（和光純薬工業（株）製）を０．１５ｍｌ加える。検水に残留塩素があるときは、あらかじめ検水１００ｍｌにチオ硫酸ナトリウム溶液（０．３ｗ／ｖ％）を加えて残留塩素を除いておく。この溶液を緩やかに攪拌しながら１０ｍｍｏｌ／ｌ硫酸で、溶液の色が青から赤紫色になるまで滴定する。次式によってアルカリ度を算出する。
アルカリ度（ＣａＣＯ3ｍｇ／ｌ）＝ａ×１０
ここで、ａ：滴定に要した１０ｍｍｏｌ／ｌ硫酸（ｍｌ）
着色した試料など、指示薬による変色が明らかでない場合には、指示薬に代えてｐＨ計を使用し、ｐＨ値が４．８までに要した１０ｍｍｏｌ／ｌ硫酸量（ｍｌ）をａとする。
【００５４】
また、本発明の液体洗浄剤組成物は、すばやい泡切れの観点から、液体洗浄剤組成物をアルカリ度＝６５ＣａＣＯ3ｍｇ／ｌ、ｐＨ７．１５の水で２００倍希釈した水希釈物に
、１規定の塩酸を、前記水希釈物１Ｌあたり０．５ｇ添加した場合のＪＩＳ  Ｋ３３６２：２００８  ８．３記載の２５℃で測定するｐＨが、８．５以上、更に８．８以上、より更に９以上、より更に９．２以上であることが好ましく、一方、１１以下、更に１０以下、より更に９．５以下であることが好ましい。即ち、前記ｐＨが８．８〜１１、より更に９〜１０、より更に９．２〜９．５であることが好ましい。本発明の（ｃ）成分、（ｄ）成分はこのような性質を付与するのに適切なｐＫａを有するアルカリ剤であり、これらを組み合わせて配合することにより、このような性質を組成物に付与することができる。なお、塩酸を用いた理由は、汗や皮脂等の酸性汚れを想定した点にある。
【００５５】
本発明の液体洗浄剤組成物は、（ａ）成分におけるポリオキシアルキレンアルキルエーテル硫酸エステル塩／アルキルベンゼンスルホン酸塩の質量比、ポリオキシアルキレンアルキルエーテル硫酸エステル塩／（ｂ）の質量比を特定し、（ｃ）成分、（ｄ）成分と組み合わせることにより、衣料等の洗濯において、優れた洗浄力を有し、起泡性とすすぎ性の両方に優れた性能を発現するものである。
【００５６】
本発明の液体洗浄剤組成物に配合できるその他の成分として、例えば、ニトリロ三酢酸、イミノ二酢酸、エチレンジアミン四酢酸、ジエチレントリアミン五酢酸、グリコールエーテルジアミン四酢酸、ヒドロキシエチルイミノ二酢酸、トリエチレンテトラアミン六酢酸、ジエンコル酸等のアミノポリ酢酸又はこれらの塩、ジグリコール酸、オキシジコハク酸、カルボキシメチルオキシコハク酸、クエン酸、乳酸、酒石酸、シュウ酸、リンゴ酸、オキシジコハク酸、グルコン酸、カルボキシメチルコハク酸、カルボキシメチル酒石酸等の有機酸又はこれらの塩などのキレート剤、好ましくは分子量が１，０００以下のキレート剤を配合できる。キレート剤の含有量は、組成物中、０．００１質量％以上、更に０．０１質量％以上、更に０．０３質量％以上であることが、または、１０質量％以下、更に３質量％以下、更に１質量％以下であることが好ましい。よって、キレート剤の含有量は、組成物中、０．００１〜１０質量％、０．０１〜３質量％、０．０３〜１質量％であることが好ましい。
【００５７】
その他、洗浄剤組成物の溶液安定性や透明性の向上を目的に水混和性有機溶剤〔以下、（ｇ）成分という〕を含有しても良い。本発明でいう水混和性有機溶剤とは、２５℃のイオン交換水１Ｌに５０ｇ以上溶解するもの、すなわち、溶解の程度が５０ｇ／Ｌ以上である溶剤を指す。（ｇ）成分の含有量は、溶液安定性と透明性の向上の観点から、組成物中、０．１質量％以上、更に０．３質量％以上、更に０．５質量％以上、更に１質量％以上、１．５質量％以上、より更に２質量％以上であることが、または、４０質量％以下、更に２０質量％以下、更に１０質量％以下、より更に５質量％以下であることが好ましい。よって、（ｇ）成分の含有量は、溶液安定性と透明性の向上の観点から、組成物中、０．１〜４０質量％、更に０．３〜４０質量％、更に０．５〜４０質量％、更に１〜２０質量％、更に１．５〜１０質量％、より更に２〜５質量％が好ましい。
【００５８】
（ｇ）成分としては、（ｇ１）エタノール、１−プロパノール、２−プロパノール、１−ブタノールなどのアルカノール類、（ｇ２）プロピレングリコール、ブチレングリコール、ヘキシレングリコールなどのグリコール類、（ｇ３）ジエチレングリコール、トリエチレングリコール、テトラエチレングリコール、ジプロピレングリコール、トリプロピレングリコールなどのグリコール類、（ｇ４）ジエチレングリコールモノメチルエーテル、ジエチレングリコールジメチルエーテル、トリエチレングリコールモノメチルエーテル、ジエチレングリコールモノエチルエーテル、ジエチレングリコールジエチルエーテル、ジプロピレングリコールモノメチルエーテル、ジプロピレングリコールモノエチルエーテル、トリプロピレングリコールモノメチルエーテル、１−メトキシ−２−プロパノール、１−エトキシ−２−プロパノール、１−メチルグリセリンエーテル、２−メチルグリセリンエーテル、１，３−ジメチルグリセリンエーテル、１−エチルグリセリンエーテル、１，３−ジエチルグリセリンエーテル、トリエチルグリセリンエーテル、１−ペンチルグリセリルエーテル、２−ペンチルグリセリルエーテル、１−オクチルグリセリルエーテル、２−エチルヘキシルグリセリルエーテル、ジエチレングリコールモノブチルエーテル（ブトキシジグリコールとも呼ばれる）などのアルキルエーテル類、（ｇ５）２−フェノキシエタノール、ジエチレングリコールモノフェニルエーテル、トリエチレングリコールモノフェニルエーテル、平均分子量約４８０のポリエチレングリコールモノフェニルエーテル、２−ベンジルオキシエタノール、ジエチレングリコールモノベンジルエーテル等の芳香族エーテル類、が挙げられる。
【００５９】
水混和性有機溶剤は同時に、組成物の粘度調整剤、ゲル化抑制剤として有効であり、上記の（ｇ１）アルカノール類、（ｇ２）グリコール類、（ｇ４）アルキルエーテル類、（ｇ５）芳香族エーテル類から選ばれる１種以上を用いることが好ましく、より好ましくは（ｇ２）グリコール類、（ｇ４）アルキルエーテル類、（ｇ５）芳香族エーテル類から選ばれるものであり、更に好ましくは（ｇ４）アルキルエーテル類である。より更に、ジエチレングリコールモノブチルエーテルが好ましい。（ｇ）成分は粘度調整やゲル化抑制に効果的である。
【００６０】
本発明の液体洗浄剤組成物に配合できるその他の成分として、次の（ｉ）〜（xiii）に示す成分を本発明の効果を損なわない程度で配合することができる。
【００６１】
（ｉ）ポリアクリル酸、ポリマレイン酸、カルボキシメチルセルロース、重量平均分子量５，０００以上のポリエチレングリコール、無水マレイン酸−ジイソブチレン共重合体、無水マレイン酸−メチルビニルエーテル共重合体、無水マレイン酸−酢酸ビニル共重合体、ナフタレンスルホン酸塩ホルマリン縮合物、及び特開昭５９−６２６１４号公報の請求項１〜２１（１頁３欄５行〜３頁４欄１４行）記載のポリマーなどの再汚染防止剤及び分散剤、好ましくはポリアクリル酸、ポリマレイン酸又はそれらの塩、より好ましくはポリアクリル酸又はその塩  ０．１〜１０質量％、好ましくは０．５〜５質量％、より好ましくは１〜３質量％
（ii）ポリビニルピロリドン等の色移り防止剤
（iii）過酸化水素、過炭酸ナトリウム、過硼酸ナトリウム等の漂白剤
（iv）テトラアセチルエチレンジアミン、特開平６−３１６７００号の一般式（Ｉ−２）〜（Ｉ−７）で表される漂白活性化剤等の漂白活性化剤
（ｖ）セルラーゼ、アミラーゼ、ペクチナーゼ、プロテアーゼ、リパーゼ等の酵素
（vi）ホウ素化合物、カルシウムイオン源（カルシウムイオン供給化合物）、ビヒドロキシ化合物、蟻酸等の酵素安定化剤
（vii）蛍光染料、例えばチノパールＣＢＳ（商品名、チバスペシャリティケミカルズ製
）やホワイテックスＳＡ（商品名、住友化学社製）として市販されている蛍光染料
（viii）ブチルヒドロキシトルエン、ジスチレン化クレゾール、亜硫酸ナトリウム及び亜硫酸水素ナトリウム等の酸化防止剤
（ix）パラトルエンスルホン酸、クメンスルホン酸、メタキシレンスルホン酸、安息香酸塩（防腐剤としての効果もある）などの可溶化剤
（ｘ）平均分子量約２００〜約４００のポリエチレングリコール、平均分子量約１，０００〜約２，０００のポリプロピレングリコールなどのポリアルキレングリコール系ゲル化防止重合体
（xi）オクタン、デカン、ドデカン、トリデカンなどのパラフィン類、デセン、ドデセンなどのオレフィン類、塩化メチレン、１，１，１−トリクロロエタンなどのハロゲン化アルキル類、Ｄ−リモネンなどのテルペン類などの水非混和性有機溶剤。
（xii）ゼオライトや結晶性層状シリケートなどの金属イオン交換剤
（xiii）その他、色素、香料、抗菌防腐剤、シリコーン等の消泡剤
【００６２】
本発明の液体洗浄剤組成物は、例えば、所定温度、即ち、８０℃程度に加温したイオン交換水に、（ｃ）成分、及び必要に応じて（ｇ）成分を加えて溶解させる。必要であればこの段階で水酸化ナトリウムなどの強塩基を加えておく。次いで（ａ）成分のうちアルキルベンゼンスルホン酸塩の酸型化合物、及び酸型の（ｂ）成分を加え、透明になるまで混合した後、（ｄ）成分、及び（ａ）成分のうち所定量のポリオキシアルキレンアルキルエーテル硫酸エステル塩を加える。その他の成分を適宜加え、室温まで冷却後、香料や色素などを加えることにより製造することができる。
【００６３】
本発明の液体洗浄剤組成物は、家庭での洗濯用、更には手洗い洗濯用として好適であり、衣料、布帛、寝具、タオル等の繊維製品の手洗い洗濯に好適に用いられる。
【００６４】
本発明は、本発明の液体洗浄剤組成物を含む洗浄水を接触させた被洗浄物を手洗いする手洗い洗濯方法に関する。本発明の液体洗浄剤組成物を用いた手洗い洗濯方法としては、布帛のような被洗浄物に、本発明の液体洗浄剤組成物を含む洗浄水を接触、浸漬させて手洗いする方法が挙げられる。接触時間又は浸漬時間が長いと洗浄効果が高く、５〜１５分接触又は浸漬するとより良好な効果が得られる。汚れた部分に直接組成物を塗布して５〜１５分放置すると更に高い効果が得られる。
【００６５】
手洗い洗濯方法での洗浄水は、本発明の組成物又は組成物の水希釈物（例えば水溶液）が用いられる。ここで使用する水は水道水が一般的であり、日本をはじめ、各国の水道水は通常アルカリ度（緩衝能）を持っている。しかし、本発明の液体洗浄剤組成物は、アルカリ度を持つ水道水により希釈した場合でも、当該水道水の持つ緩衝能を超えてｐＨを８．５〜１０．５に維持できるため、設計通りの優れた洗浄性能が発現する。布帛のような被洗浄物の質量に対する洗浄水の質量は、好ましくは２倍以上、更に３倍以上、更に５倍以上、また、１００倍以下、更に５０倍以下、更に２５倍以下が好ましい。よって、布帛のような被洗浄物の質量に対する洗浄水の質量は、好ましくは２〜１００倍、より好ましくは３〜５０倍、更に好ましくは５〜２５倍である。本発明に係る洗浄水を接触させた布帛等の被洗浄物を十分に手でこすり洗いすると高い洗浄力が得られるばかりか豊かな泡立ちがあるため、視覚的に好ましい。
【００６６】
こすり洗い後は洗浄水から布帛を取り出し、絞って水を切るか脱水機を用いて水を切り、新しい水〔以下、すすぎ水という〕に再度浸漬させる。すすぎ水は、洗面器などにためた水でも流水でもどちらでも良い。布帛に対するすすぎ水の質量は、すすぎに用いたすすぎ水の全量基準で、好ましくは２倍以上、更に５倍以上、更に１０倍以上、また、好ましくは１，０００倍以下、更に５００倍以下、更に１００倍以下である。よって、布帛に対するすすぎ水の質量は、すすぎに用いたすすぎ水の全量基準で、好ましくは２〜１，０００倍、より好ましくは５〜５００倍、更に好ましくは１０〜１００倍である。すすぎ水を浸漬させた段階で布帛に残存している界面活性剤などが、すすぎ水に再溶解するため、泡立ちが見られる。この操作を数回繰り返すと泡立ちがなくなりすすぎ終了となる。
【００６７】
手洗いによる一般的な洗濯では、例えば通常の洗浄剤を用いた場合には、洗濯時に発生する泡が消えないため、一般的に５回以上必要となるが、本発明では３回以下ですすぎを終了でき、非常に少ないすすぎ水ですすぎを終了させることができ、無駄に水を使用する必要がなくなる。
【００６８】
本発明の液体洗浄剤組成物は、洗浄水の調製に用いる水の硬度及びすすぎ水の硬度の少なくとも何れかは、洗浄力とすすぎ性の観点から、１°ＤＨ以上、更に２°ＤＨ以上、更に３°ＤＨ以上、更に４°ＤＨ以上であっても良く、また、５０°ＤＨ以下であることが好ましい。よって、洗浄水の調製に用いる水の硬度及びすすぎ水の硬度の少なくとも何れかは、洗浄力とすすぎ性の観点から１°ＤＨ〜５０°ＤＨが好ましく、より好ましくは２°ＤＨ〜５０°ＤＨ、より好ましくは３°ＤＨ〜５０°ＤＨ、より好ましくは４°ＤＨ〜５０°ＤＨ、より好ましくは８°ＤＨ〜５０°ＤＨである。
【００６９】
［第２実施態様］
本発明に包含される態様の一例を、第２実施態様として説明する。第２実施態様の本発明の組成物として以下のものが挙げられる。
【００７０】
（ａ）ポリオキシアルキレンアルキルエーテル硫酸エステル塩及びアルキルベンゼンスルホン酸塩からなる群から選ばれる一種以上のアニオン性界面活性剤５〜４０質量％、（ｂ）脂肪酸及び／又はその塩、（ｃ）アルカノールアミン、（ｄ）炭酸塩、（ｅ）ノニオン性界面活性剤、並びに水を含有する液体洗浄剤組成物であって、
ポリオキシアルキレンアルキルエーテル硫酸エステル塩／アルキルベンゼンスルホン酸塩の質量比が７０／３０〜１００／０であり、
ポリオキシアルキレンアルキルエーテル硫酸エステル塩／（ｂ）の質量比が３／１〜２０／１であり、
ポリオキシアルキレンアルキルエーテル硫酸エステル塩／（ｅ）の質量比が６０／４０〜１００／０であり、
（ｂ）が、炭素数１２〜１４の脂肪酸及び／又はその塩と、炭素数１６〜１８の脂肪酸及び／又はその塩とを含み、
上記液体洗浄剤組成物のＪＩＳ  Ｋ３３６２：２００８  ８．３記載の２５℃で測定するｐＨが９〜１１である、
液体洗浄剤組成物。
【００７１】
ここで、炭素数１２〜１４の脂肪酸及び／又はその塩をＣ12〜14脂肪酸と表記する。また、炭素数１６〜１８の脂肪酸及び／又はその塩をＣ16〜18脂肪酸と表記する。
【００７２】
（ｂ）成分としてＣ12〜14脂肪酸とＣ16〜18脂肪酸とを含む第２実施態様の液体洗浄剤組成物は、洗浄力、起泡性、すすぎ性に優れると共に、低温保存安定性など、組成物の安定性を考慮した場合にも好ましいものである。
【００７３】
第２実施態様では、Ｃ12〜14脂肪酸に対するＣ16〜18脂肪酸の質量比、すなわち、Ｃ16〜18脂肪酸／Ｃ12〜14脂肪酸の質量比は、好ましくは１／９９以上、更に４／９６以上、更に８／９２以上、更に１２／８８以上、更に１８／８２以上であり、また、好ましくは６０／４０以下、更に５０／５０以下、更に４０／６０以下、更に３０／７０以下、更に２５／７５以下である。よって、Ｃ16〜18脂肪酸／Ｃ12〜14脂肪酸の質量比は、低温保存安定性の向上の観点から、具体的には、好ましくは１／９９〜６０／４０、より好ましくは４／９６〜５０／５０、より好ましくは８／９２〜４０／６０、より好ましくは１２／８８〜３０／７０、更に好ましくは１８／８２〜２５／７５である。
【００７４】
また、第２実施態様では、Ｃ12〜14脂肪酸は、炭素数１２の脂肪酸及び／又はその塩が好ましい。ここで、炭素数１２の脂肪酸及び／又はその塩をＣ12脂肪酸と表記する。また、炭素数１４の脂肪酸及び／又はその塩をＣ14脂肪酸と表記する。第２実施態様では、（ｂ）成分としてＣ12脂肪酸を含むことが好ましく、Ｃ12〜14脂肪酸の全量に占めるＣ12〜14脂肪酸の割合は５０質量％以上、更に６０質量％以上が好ましく、また、９５質量％以下、更に９０質量％以下が好ましい。また、（ｂ）成分としてＣ12脂肪酸とＣ14脂肪酸とを含む場合、Ｃ14脂肪酸の含有量に対するＣ12脂肪酸の含有量の質量比、すなわち、Ｃ12脂肪酸／Ｃ14脂肪酸の質量比は、低温保存安定性の向上の観点から、好ましくは３．５／１以上、より好ましくは４／１以上である。
【００７５】
第２実施態様では、Ｃ12〜14脂肪酸は、直鎖の脂肪酸及び／又はその塩が好ましく、また、飽和の脂肪酸及び／又はその塩が好ましい。また、Ｃ16〜18脂肪酸は、直鎖の脂肪酸及び／又はその塩が好ましく、また、飽和の脂肪酸及び／又はその塩が好ましい。Ｃ12〜14脂肪酸として炭素数１２の脂肪酸及び／又はその塩、具体的にはラウリン酸及び／又はその塩を含有することが好ましい。また、Ｃ16〜18脂肪酸として、炭素数１６の脂肪酸及び／又はその塩、具体的にはパルミチン酸及び／又はその塩を含有することが好ましい。
【００７６】
また、第２実施態様では、Ｃ12〜14脂肪酸として炭素数１２の脂肪酸及び／又はその塩を含有し、且つＣ16〜18脂肪酸として炭素数１６の脂肪酸及び／又はその塩を含有し、Ｃ12〜14脂肪酸とＣ16〜18脂肪酸の含有量の合計中、炭素数１２の脂肪酸及び／又はその塩と炭素数１６の脂肪酸及び／又はその塩の含有量の合計の割合が、７０質量％以上、更に８０質量％以上、更に９０質量％以上、更に９５質量％以上であることが好ましく、１００質量％であってもよい。
【００７７】
第２実施態様では、ポリオキシアルキレンアルキルエーテル硫酸エステル塩／アルキルベンゼンスルホン酸塩の質量比は、７０／３０以上、更に７５／２５以上、更に８０／２０以上、更に８５／１５以上であってよく、また、９９／１以下、更に９８／２以下、更に９５／５以下、更に９０／１０以下であってよい。すなわち、第２実施態様では、ポリオキシアルキレンアルキルエーテル硫酸エステル塩／アルキルベンゼンスルホン酸塩の質量比は、７０／３０〜９９／１であっても良く、好ましくは７５／２５〜９８／２、より好ましくは８０／２０〜９５／５であり、更に好ましくは８５／１５〜９０／１０である。
【００７８】
第２実施態様では、すすぎ時の速やかな泡消え性の観点から、ポリオキシアルキレンアルキルエーテル硫酸エステル塩／（ｅ）成分の質量比は、６０／４０以上であり、６５／３５以上、更に７０／３０以上、更に８０／２０以上、更に８５／１５以上が好ましく、また、１００／０以下であり、組成物の低温安定性の観点から、９９／１以下、更に９８／２以下、更に９７／３以下、更に９５／５以下が好ましい。すなわち、第２実施態様では、ポリオキシアルキレンアルキルエーテル硫酸エステル塩／（ｅ）成分の質量比は、６０／４０〜１００／０であり、６０／４０〜９９／１が好ましく、６５／３５〜９９／１が好ましく、７０／３０〜９８／２が好ましく、８０／２０〜９７／３が好ましく、８５／１５〜９５／５がより好ましい。ここで、（ｅ）成分としては、炭素数１０以上、１８以下のアルコールにエチレンオキサイドを平均で１モル以上、更に４モル以上、更に６モル以上、また、２５モル以下、更に１２モル以下、更に１０モル以下、更に８モル以下付加させたポリオキシアルキレンアルキルエーテルを用いることができる。
【００７９】
第２実施態様の液体洗浄剤組成物は、優れたすすぎ性を維持するため、（ｂ）成分としてＣ12〜14脂肪酸とＣ16〜18脂肪酸とを併用し、且つ（ｅ）成分を含有することが好ましい。第２実施態様の液体洗浄剤組成物が（ｅ）成分を含有する場合、組成物中の（ｅ）成分の含有量は、０．３質量％以上、更に０．５質量％以上、更に１質量％であることが好ましく、また、３質量％以下、更に２．５質量％以下、更に２質量％以下であることが好ましい。すなわち、第２の実施態様の液体洗浄剤組成物は、（ｅ）成分を０．３〜３質量％、更に０．５〜２．５質量％、更に１〜２質量％含有することができる。
【００８０】
第２実施態様において、上記の条件以外は、成分や含有量などの好ましい態様は前述の通りであるので、説明を省略する。
【００８１】
本発明のより具体的な態様を以下に例示する。
＜１＞  （ａ）ポリオキシアルキレンアルキルエーテル硫酸エステル塩及びアルキルベンゼンスルホン酸塩からなる群から選ばれる一種以上のアニオン性界面活性剤５質量％以上、更に６質量％以上、より更に７質量％以上、より更に８質量％以上、より更に９質量％以上、より更に１０．５質量％以上、また、４０質量％以下、更に３０質量％以下、より更に２０質量％以下、より更に１６質量％以下、より更に１４質量％以下、すなわち５〜４０質量％、更に６〜３０質量％、より更に７〜２０質量％、より更に８〜１６質量％、より更に９〜１４質量％、より更に１０．５〜１４質量％、（ｂ）脂肪酸及び／又はその塩、（ｃ）アルカノールアミン、（ｄ）炭酸塩、（ｅ）ノニオン性界面活性剤、並びに水を含有する液体洗浄剤組成物であって、
ポリオキシアルキレンアルキルエーテル硫酸エステル塩／アルキルベンゼンスルホン酸塩の質量比が７０／３０〜１００／０、好ましくは７５／２５〜１００／０、より好ましくは８０／２０〜１００／０であり、より好ましくは９０／１０〜１００／０、より好ましくは９５／５〜１００／０、より好ましくは１００／０であり、
ポリオキシアルキレンアルキルエーテル硫酸エステル塩／（ｂ）の質量比が３／１〜２０／１、好ましくは４／１〜１６／１、より好ましくは５／１〜１３／１、より好ましくは６／１〜１１／１、より好ましくは７／１〜９／１であり、
ポリオキシアルキレンアルキルエーテル硫酸エステル塩／（ｅ）の質量比が６０／４０〜１００／０、好ましくは６５／３５〜１００／０、より好ましくは８５／１５〜１００／０であり、
上記液体洗浄剤組成物のＪＩＳ  Ｋ３３６２：２００８  ８．３記載の２５℃で測定するｐＨが９以上、１１以下、すなわち９〜１１、好ましくは９〜１０．５、より好ましくは９．３〜１０．２、更により好ましくは９．５〜１０である、
液体洗浄剤組成物。
【００８２】
＜２＞  （ａ）ポリオキシアルキレンアルキルエーテル硫酸エステル塩及びアルキルベンゼンスルホン酸塩からなる群から選ばれる一種以上のアニオン性界面活性剤５質量％以上、更に６質量％以上、より更に７質量％以上、より更に８質量％以上、より更に９質量％以上、より更に１０．５質量％以上、また、４０質量％以下、更に３０質量％以下、より更に２０質量％以下、より更に１６質量％以下、より更に１４質量％以下、すなわち５〜４０質量％、更に６〜３０質量％、より更に７〜２０質量％、より更に８〜１６質量％、より更に９〜１４質量％、より更に１０．５〜１４質量％、（ｂ）脂肪酸及び／又はその塩、（ｃ）アルカノールアミン、（ｄ）炭酸塩、（ｅ）ノニオン性界面活性剤、並びに水を含有する液体洗浄剤組成物であって、
ポリオキシアルキレンアルキルエーテル硫酸エステル塩／アルキルベンゼンスルホン酸塩の質量比が７０／３０〜１００／０、好ましくは７０／３０〜９９／１、より好ましくは７５／２５〜９８／２、更に好ましくは８０／２０〜９５／５であり、より更に好ましくは８５／１５〜９０／１０であり、
ポリオキシアルキレンアルキルエーテル硫酸エステル塩／（ｂ）の質量比が３／１〜２０／１であり、
ポリオキシアルキレンアルキルエーテル硫酸エステル塩／（ｅ）の質量比が６０／４０〜１００／０であり、
（ｂ）が、炭素数１２〜１４の脂肪酸及び／又はその塩と、炭素数１６〜１８の脂肪酸及び／又はその塩とを含み、
上記液体洗浄剤組成物のＪＩＳ  Ｋ３３６２：２００８  ８．３記載の２５℃で測定するｐＨが９〜１１である、
液体洗浄剤組成物。
【００８３】
＜３＞  炭素数１２〜１４の脂肪酸及び／又はその塩が、炭素数１２の脂肪酸及び／又はその塩である、前記＜２＞記載の液体洗浄剤組成物。
【００８４】
＜４＞  炭素数１２〜１４の脂肪酸及び／又はその塩をＣ12〜14脂肪酸と表記し、炭素数１６〜１８の脂肪酸及び／又はその塩をＣ16〜18脂肪酸と表記して、Ｃ16〜18脂肪酸／Ｃ12〜14脂肪酸の質量比が、好ましくは１／９９以上、更に４／９６以上、更に８／９２以上、更に１２／８８以上、更に１８／８２以上であり、また、好ましくは６０／４０以下、更に５０／５０以下、更に４０／６０以下、更に３０／７０以下、更に２５／７５以下である、すなわち、Ｃ16〜18脂肪酸／Ｃ12〜14脂肪酸の質量比が好ましくは１／９９〜６０／４０、より好ましくは４／９６〜５０／５０、より好ましくは８／９２〜４０／６０、より好ましくは１２／８８〜３０／７０、更に好ましくは１８／８２〜２５／７５である、前記＜２＞又は＜３＞記載の液体洗浄剤組成物。
【００８５】
＜５＞  ポリオキシアルキレンアルキルエーテル硫酸エステル塩／（ｅ）成分の質量比が、６０／４０以上、更に６５／３５以上、更に７０／３０以上、更に８０／２０以上、更に８５／１５以上、また、９９／１以下、更に９８／２以下、更に９７／３以下、更に９５／５以下である、すなわち、ポリオキシアルキレンアルキルエーテル硫酸エステル塩／（ｅ）成分の質量比が、６０／４０〜９９／１、更に６５／３５〜９９／１、更に７０／３０〜９８／２、更に８０／２０〜９７／３、更に８５／１５〜９５／５である、前記＜２＞〜＜４＞いずれか記載の液体洗浄剤組成物。
【００８６】
＜６＞  炭素数１２の脂肪酸及び／又はその塩をＣ12脂肪酸と表記し、炭素数１４の脂肪酸及び／又はその塩をＣ14脂肪酸と表記して、（ｂ）成分としてＣ12脂肪酸とＣ14脂肪酸とを含み、Ｃ14脂肪酸の含有量に対するＣ12脂肪酸の含有量の質量比Ｃ12脂肪酸／Ｃ14脂肪酸が３．５／１以上、更には４／１以上である、前記＜２＞〜＜５＞いずれか記載の液体洗浄剤組成物。
【００８７】
＜７＞  炭素数１２〜１４の脂肪酸及び／又はその塩をＣ12〜14脂肪酸と表記し、炭素数１６〜１８の脂肪酸及び／又はその塩をＣ16〜18脂肪酸と表記して、Ｃ12〜14脂肪酸として炭素数１２の脂肪酸及び／又はその塩を含有し、且つＣ16〜18脂肪酸として炭素数１６の脂肪酸及び／又はその塩を含有し、Ｃ12〜14脂肪酸とＣ16〜18脂肪酸の含有量の合計中、炭素数１２の脂肪酸及び／又はその塩と炭素数１６の脂肪酸及び／又はその塩の含有量の合計の割合が、７０質量％以上、更に８０質量％以上、更に９０質量％以上、更に９５質量％以上であることが好ましく、１００質量％であってもよい、前記＜２＞〜＜６＞いずれか記載の液体洗浄剤組成物。
【００８８】
＜８＞  （ａ）が、炭素数１０以上、更に１２以上、また、２０以下、更に１４以下のアルキル基を有し、アルキレンオキシ基の平均付加モル数が０以上、更に０より大きい、更に０．５以上、更に１以上、また、５以下、更に４以下、更に３以下ののポリオキシアルキレンアルキルエーテル硫酸エステル塩、具体的には、炭素数１０〜２０、好ましくは１２〜１４のアルキル基を有し、アルキレンオキシ基の平均付加モル数が０〜５、好ましくは０．５〜４、更に好ましくは１〜３のポリオキシアルキレンアルキルエーテル硫酸エステル塩である、前記＜１＞〜＜７＞いずれか記載の液体洗浄剤組成物。
【００８９】
＜９＞  （ｂ）が、炭素数１０以上、更に１２以上、また、炭素数１８以下、更に１４以下の脂肪酸、すなわち、炭素数１０〜１８、好ましくは炭素数１２〜１４の脂肪酸である、前記＜１＞又は＜８＞記載の液体洗浄剤組成物。
【００９０】
＜１０＞  （ｂ）が、炭素数１２〜１４の脂肪酸及び／又はその塩と、炭素数１６〜１８の脂肪酸及び／又はその塩とを含む、前記＜１＞又は＜８＞又は＜９＞記載の液体洗浄剤組成物。
【００９１】
＜１１＞  （ｂ）の含有量が、０．４質量％以上、更に０．５質量％以上、更に０．６質量％以上、更に０．７質量％以上、更に０．８質量％以上、また、５質量％以下、更に４質量％以下、更に３質量％以下、更に２質量％以下、更に１．５質量％以下である、すなわち、好ましくは０．４〜５質量％、より好ましくは０．５〜４質量％、より好ましくは０．６〜３質量％、より好ましくは０．７〜２質量％、より好ましくは０．８〜１．５質量％である、前記＜１＞〜＜１０＞いずれか記載の液体洗浄剤組成物。
【００９２】
＜１２＞  （ｃ）が、２５℃のｐＫａが８．５以上、更に８．７以上、更に９以上、また、１０．６以下、更に１０以下、更に９．６以下、すなわち、８．５〜１０．６、更に８．７〜１０、更に９〜９．６の範囲にあるアルカノールアミン、好ましくはモノアルカノールアミン、より好ましくはモノエタノールアミンである、前記＜１＞〜＜１１＞いずれか記載の液体洗浄剤組成物。
【００９３】
＜１３＞  （ｄ）が、炭酸水素アルカリ金属塩、炭酸アルカリ金属塩及びセスキ炭酸アルカリ金属塩からなる群から選ばれる一種以上の化合物である、前記＜１＞〜＜１２＞いずれか記載の液体洗浄剤組成物。
【００９４】
＜１４＞  （ｄ）が、炭酸水素ナトリウム塩である、前記＜１＞〜＜１３＞いずれか記載の液体洗浄剤組成物。
【００９５】
＜１５＞  （ｅ）が、炭素数１０以上、１８以下のアルコールにエチレンオキサイドを平均で１モル以上、更に２モル以上、１２モル以下、更に４モル以下付加させたポリオキシアルキレンアルキルエーテル、すなわち、炭素数１０〜１８のアルコールにエチレンオキサイドを平均で１〜１２モル、好ましくは２〜４モル付加させたポリオキシアルキレンアルキルエーテルである、前記＜１＞〜＜１４＞いずれか記載の液体洗浄剤組成物。
【００９６】
＜１６＞  組成物中の（ｅ）の含有量が３質量％以下、好ましくは２．５質量％以下、より好ましくは２質量％以下、より好ましくは１質量％以下、より更に好ましくは０．１質量％以下、より更に好ましくは０質量％である、前記＜１＞、＜８＞〜＜１５＞いずれか記載の液体洗浄剤組成物。
【００９７】
＜１７＞  アミンオキシド、及びベタインから選ばれる一種以上の泡ブースターの含有量が、全界面活性剤中の５質量％以下、好ましくは３質量％以下、より好ましくは１．５質量％以下である、前記＜１＞〜＜１６＞いずれか記載の液体洗浄剤組成物。
【００９８】
＜１８＞  上記液体洗浄剤組成物をアルカリ度＝６５ＣａＣＯ3ｍｇ／ｌ、ｐＨ＝７．１
５の水で２００倍希釈した水希釈物のＪＩＳ  Ｋ３３６２：２００８  ８．３記載の２５℃で測定するｐＨが、８．５以上、更に８．７以上、更に８．９以上、更に９以上であり、また、１０．５以下、更に１０．１以下、更に９．７以下、更に９．５以下である、すなわち、該ｐＨが好ましくは８．５〜１０．５、好ましくは８．７〜１０．１、より好ましくは８．９〜９．７、更により好ましくは９〜９．５である、前記＜１＞〜＜１７＞いずれか記載の液体洗浄剤組成物。
【００９９】
＜１９＞  前記＜１＞〜＜１８＞いずれか記載の液体洗浄剤組成物を含む洗浄水を接触させた被洗浄物を手洗いする手洗い洗濯方法であって、被洗浄物の質量に対する洗浄水の質量が２〜１００倍である、手洗い洗濯方法。
【０１００】
＜２０＞  洗浄水の調製に用いる水の硬度及びすすぎ水の硬度の少なくとも何れかが、１°ＤＨ以上、更に２°ＤＨ以上、更に３°ＤＨ以上、更に４°ＤＨ以上であり、また、５０°ＤＨ以下である、すなわち８°ＤＨ〜５０°ＤＨである、前記＜１９＞記載の手洗い洗濯方法。
【実施例】
【０１０１】
下記成分を用いて表１、２に示す液体洗浄剤組成物を調製し、以下の方法で泡立ち性、すすぎ性、洗浄力を評価した。結果を表１、２に示す。
【０１０２】
＜配合成分＞
・ＡＥＳ−Ｎａ（ＥＯ＝２）：ポリオキシエチレン（平均付加モル数２）ラウリルエーテル硫酸エステルナトリウム、エマール２７０Ｊ（花王（株）製）
・ＬＡＳ−Ｎａ：ラウリルベンゼンスルホン酸ナトリウム、ネオペレックスＧ−１５（花王（株）製）
・ラウリン酸：ルナックＬ−９８（花王（株）製）
・ミリスチン酸：ルナックＭＹ−９８（花王（株）製）
・パルミチン酸：ルナックＰ−９５（花王（株）製）
・ステアリン酸：ルナックＳ−９８（花王（株）製）
・ヤシ油脂肪酸：ルナックＬ−５５（花王（株）製、炭素数１２、１４、１６の脂肪酸を主な構成脂肪酸とする。ヤシ油脂肪酸中の各脂肪酸の質量比は以下の通りである。炭素数１０の脂肪酸：１質量％、炭素数１２の脂肪酸：５７質量％、炭素数１４の脂肪酸：２２質量％、炭素数１６の脂肪酸：１０質量％、炭素数１８の飽和脂肪酸：３質量％。炭素数１８の不飽和脂肪酸：７質量％。）
・アルキルアミドプロピルベタイン：アンヒトール２０ＨＤ（花王（株）製）
・ＡＥ（ＥＯ＝７）：炭素数１０〜１４の１級アルコールにエチレンオキシドを平均７モル付加させたポリオキシエチレンアルキルエーテル
・ＡＥ（ＥＯ＝２０）：炭素数１０〜１４の１級アルコールにエチレンオキシドを平均２０モル付加させたポリオキシエチレンアルキルエーテル
・ポリアクリル酸ナトリウム：重量平均分子量８０００、オリゴマーＤ（花王（株）製）
【０１０３】
＜評価用肌着の調製方法＞
市販肌着２．５ｋｇ〔グンゼ社製（ＹＧ１６１４丸首Ｌサイズ  木綿１００％）〕を洗濯機（Panasonic製 NA-F70PB1 '2008）で、水温２０℃、炭酸カルシウム換算で89.5ｍｇ
／Ｌの硬水を用いて洗濯を５回繰り返して処理剤を除去した。洗濯条件は、水量５４Ｌ、洗い１２分、ためすすぎ２回、脱水５分であった。その際に、ノニオン性界面活性剤（炭素数１２のアルキル基からなる１級アルコールにオキシエチレン基を平均６モル付加させたもの）、非晶質ケイ酸ナトリウム、炭酸ナトリウムを１：１：３の質量比で混合したものを０．５ｇ／Ｌで使用した。その後、水温２０℃、炭酸カルシウム換算で89.5ｍｇ／Ｌの硬水を用いて、２槽式洗濯機（HITACHI製、PS-H35L'2008）で、流水すすぎを行った。
すすぎを止めた際に完全に泡がなくなるまですすぎを行い、処理剤及び洗浄成分を除去したものを自然乾燥にて乾燥させ評価用肌着として使用した。
【０１０４】
（１）泡立ち性評価
モデル円形洗面器（底面の直径２５ｃｍ、高さ１５ｃｍの円柱のアクリル製容器）に、水温２０℃、炭酸カルシウム換算で１７９ｍｇ／Ｌ（本硬水はドイツ硬度で１０°ＤＨに相当する）、アルカリ度６５ＣａＣＯ3ｍｇ／ｌ、ｐＨ７．１５の硬水〔塩化カルシウム
（ＣａＣｌ2・２Ｈ2Ｏ）１．５７ｇと硫酸マグネシウム（ＭｇＳＯ4・６Ｈ2Ｏ）１．４５ｇと重曹１．６ｇにイオン交換水を加えて１０Ｌとし、塩酸で調整したもの、Ｃａ／Ｍｇ＝６／４（モル比）〕３Ｌを注入する。そこに液体洗浄剤組成物を２０ｇ添加し、溶解させる。次いでそこに下記に示す調整油を、加温（６０℃）して、３枚で１ｇになるように（１枚当り約０．３３ｇ）襟元にスポイド（φ：２ｍｍ）を用いて滴下した評価用肌着を投じ、洗浄液に完全に浸る状態で１５分間放置する。１５分間放置後、肌着１枚に付き５０回もみ洗い（布と布を擦り合わせながら１往復（約１秒）で１回と換算）する。その後、肌着を取り出し、肌着の含水量が肌着に対して１００〜１４０％程度になるように洗面器から１０ｃｍ上で絞り、３枚絞った直後の洗濯液面の状態を計測する。下記の基準でポイントをつける。
ポイント
６：液面全体を泡高さ２ｃｍ以上の泡が覆っている
５：液面全体を泡高さ１ｃｍ以上の泡が覆っている
４：液面全体を泡高さ０．７ｃｍ以上１．０ｃｍ未満の泡が覆っている
３：液面全体を泡高さ０．４ｃｍ以上０．７ｃｍ未満の泡が覆っている
２：泡高さ０．２ｃｍ以上０．４ｃｍ未満の泡が全体に広がっている
１：泡高さ０．２ｃｍ未満である
【０１０５】
＊調整油
ラウリン酸１質量％、ミリスチン酸７．１質量％、ペンタデカン酸５．３質量％、パルチミチン酸１４．２質量％、ヘプタデカン酸１質量％、ステアリン酸３．６質量％、オレイン酸１７．８質量％、トリオレイン３０質量％、パルミチン酸ｎ−ヘキサデシル５質量％、スクアレン１５質量％を約６０℃に加温し、均一に溶解混合したものを調整油とした。
【０１０６】
（２）すすぎ性評価
モデル円形洗面器（底面の直径２５ｃｍ、高さ１５ｃｍの円柱状のアクリル製容器）に、水温２０℃、炭酸カルシウム換算で１７９ｍｇ／Ｌ、アルカリ度６５ＣａＣＯ3ｍｇ／
ｌ（本硬水はドイツ硬度で１０°ＤＨに相当する）、ｐＨ７．１５の硬水（前記泡立ち性評価で用いたものと同様に調製したもの）５Ｌを注入し、上記泡立ち性評価で絞った評価用肌着３枚を投入する。肌着をすすぎ水中でほぐした後、ほぐした肌着を１枚ずつエリの部分を持って浴中から上に持ち上げ（浴中から洗面器上約５ｃｍの高さまで衣料全体が抜け切るまで持ち上げる）、その後再び浴中へ戻す。このような上下運動によるすすぎを１枚の肌着につき１０回繰り返した後、肌着の含水量が肌着に対して１００〜１４０％程度になるように洗面器から１０ｃｍ上で絞る。３枚の肌着のすすぎ、脱水が終わった直後のすすぎ水の液面状態を観察し、下記の基準でポイントをつける。これが１回の評価である。更に、この脱水した肌着に新しいすすぎ水を投入し、この評価をあと２回繰り返す（上記泡立ち性評価から含めて１つの液体洗浄剤組成物について用いる肌着は３枚）ことを行い、ポイントの総和ですすぎ性を評価した。
ポイント
６：液面全体を泡高さ１ｃｍ以上の泡が残っている
５：液面全体に泡が残っている（１ｃｍ未満）
４：液面の１／２程度に泡が残っている
３：液面の１／４程度に泡が残っている
２：液面に細かい泡が残っている
１：液面に泡が残っていない
【０１０７】
（３）洗浄力評価
＜人工汚染布の作製＞
使用した人工汚染布は、６ｃｍ×６ｃｍの木綿／ポリエステル混紡ブロード染着布（木綿／ポリエステル比＝６５／３５  谷頭商店より購入）に、下記組成から成る人工汚垢を１枚当り１００ｍｇになるようグラビア塗工したものである。
【０１０８】
＊人工汚垢
下記Ａ、Ｂ、Ｃ、Ｄ、Ｅを含有する組成物を人工汚垢とした。それぞれの質量％は、最終組成の人工汚垢中の割合であり、合計が１００質量％となるようにＢの量を調節した。Ａ：前記泡立ち性評価で用いた調整油（人工汚垢中の質量％が、ラウリン酸０．４４質量％、ミリスチン酸３．１５質量％、ペンタデカン酸２．３５質量％、パルチミチン酸９．３１質量％、ヘプタデカン酸０．４４質量％、ステアリン酸１．６質量％、オレイン酸１．９１質量％、トリミリスチン１３．３３質量％、パルミチン酸ｎ−ヘキサデシル５．２２質量％、スクアレン６．６６質量％となる量で用いる）
Ｂ：塩化カルシウム（２水塩）１０５ｍｇを秤量し、蒸留水に溶かして１，０００ｍｌとして得た硬水
Ｃ：卵白レシチン液晶物１．９８質量％（蒸留水８０ｍｌにアルギニン塩酸塩１１．３７ｇ、ヒスチジン４．２０ｇ、セリン２．４４ｇを溶解し、濃塩酸でｐＨを５．０に調整した後、この溶液と卵白レシチンをミキサーで十分混ぜ合わせて得た卵白レシチン液晶物）Ｄ：鹿沼赤土８．１１質量％
Ｅ：カーボンブラック０．０２５質量％
【０１０９】
＜洗浄条件＞
液体洗浄剤組成物３ｇを、炭酸カルシウム換算で１７９ｍｇ／Ｌ、アルカリ度６５ＣａＣＯ3ｍｇ／ｌ、ｐＨ７．１５の硬水（前記泡立ち性評価で用いたものと同様に調製した
もの）１Ｌに溶解し、そこに上記人工汚染布４枚入れてターゴトメーターにて以下の条件で洗浄した。
洗浄時間１０分
水温２０℃
洗浄力は、汚染前の原布、及び洗浄前後の５５０ｎｍにおける反射率を測色色差計（日本電色株式会社製  Ｚ−３００Ａ）にて測定し、次式によって洗浄率（％）を求めた（表中の値は４枚の洗浄率の平均値）。
洗浄率（％）＝１００×［（洗浄後の反射率−洗浄前の反射率）／（原布の反射率−洗浄前の反射率）］
【０１１０】
【表１】
0005545911.tif 000002
【０１１１】
【表２】
0005545911.tif 000003
【０１１２】
表中、ｐＨの「２００倍水希釈物」は、液体洗浄剤組成物を、ｐＨ＝７．１５、アルカリ度＝６５ＣａＣＯ3ｍｇ／ｌの水で２００倍希釈した水希釈物のｐＨである。また、ｐ
Ｈの「塩酸添加後」は、上記の水希釈物に１規定の塩酸を１Ｌあたり０．５ｇ添加した後のｐＨである。
【０１１３】
（４）低温安定性評価
＜評価方法＞
表３に示す液体洗浄剤組成物を容積５０ｍｌの規格瓶（ＰＳ−Ｎｏ．６広口規格びん、石田容器株式会社製）に移した後密封し、０℃又は５℃の温度に誤差範囲を±１℃に設定した恒温室に静置した。そして、静置後３日目の状態を目視で評価した。評価の基準は下記の通りである。その結果を表３に示す。
○：５℃保存条件で保存期間終了後、サンプル液に析出物が見られない。
◎：０℃保存条件で保存期間終了後、サンプル液に析出物が見られない。
【０１１４】
【表３】
0005545911.tif 000004